(57)【要約】【課題】低周波の信号も失うことなく増幅する。【解決手段】第１オペアンプＯＰ１は、入力信号が負入力端に入力され、正入力端に基準電圧が入力され、出力端から負入力端への帰還路が形成され、所定の増幅率で入力信号を増幅する。第２オペアンプは、第１オペアンプＯＰ１の出力が正入力端に入力され、前記基準電圧が負入力端に入力され、出力端に一対の極性が互いに反対である負荷のＢＴＬ駆動用の出力を得る。【選択図】図１
2009159110.tif 000002
【特許請求の範囲】
【請求項１】
入力信号が負入力端に入力され、正入力端に基準電圧が入力され、出力端から負入力端への帰還路が形成され、所定の増幅率で入力信号を増幅する第１オペアンプと、
このオペアンプの出力が正入力端に入力され、前記基準電圧が負入力端に入力され、出力端に一対の極性が互いに反対の出力を得る第２オペアンプと、
を有し、
前記第２オペアンプの出力に、一対の極性が互いに反対である、負荷をＢＴＬ駆動するための出力を得ることを特徴とするアンプ回路。
【請求項２】
請求項１に記載のアンプ回路において、
前記第１オペアンプの入力信号の入力ラインには抵抗が配置され、前記帰還路には帰還抵抗が配置され、これら抵抗の比によって第１オペアンプの増幅率が決定されることを特徴とするアンプ回路。
【請求項３】
請求項１または２に記載のアンプ回路において、
前記入力信号は、カメラの手ぶれ補正用の信号であり、前記負荷は光学補正用のボイスコイルモータであることを特徴とするアンプ回路。
【請求項４】
請求項３に記載のアンプ回路において、
前記ボイスコイルモータは、レンズ又は撮像素子をシフト補正することを特徴とするアンプ回路。
【発明の詳細な説明】
【技術分野】
【０００１】
本発明は、ＢＴＬ（Bridged Transless）出力を得るアンプ回路に関する。
【背景技術】
【０００２】
従来より、限定された電源電圧の下で負荷を十分なダイナミックレンジで駆動するものとして、ＢＴＬ駆動が知られており、スピーカの駆動などに広く採用されている。
【０００３】
ここで、ビデオカメラ、デジタルスチルカメラ等の撮像機器では、手振れに代表される振動等により被写体像にぶれが発生し、撮影映像が見づらくなることを防止する要求があり、振動対策機能が設けられている。この振動対策機能は、被写体に対する撮像機器の振動を検出し、その振動に応じて、光学系（レンズ又は撮像素子）などをモータによってシフト補正することが知られている（引用文献１，２，３等参照）。
【０００４】
この光学補正用のモータとしては、ボイスコイルモータなどが使用され、このボイスコイルの駆動を効率的にするために、ＢＴＬ駆動が用いられる。例えば、図２に示すようなＢＴＬアンプを利用する。すなわち、補正用の入力信号は直流カット用コンデンサＣｉを介しオペアンプＯＰ０の正入力端に入力される。一方、基準電圧Ｖｒｅｆは、バッファアンプＢＡを介し、オペアンプＯＰ０の負入力端に入力される。そして、バッファアンプＢＡの出力を抵抗Ｒｉを介し、オペアンプＯＰ０の正入力端に接続することで、オペアンプＯＰ１の正入力端への信号の直流レベルを基準電圧Ｖｒｅｆに設定される。これによって、オペアンプＯＰ０の出力に、基準電圧Ｖｒｅｆを中心とし極性が互いに反対の一対のＢＴＬ用の出力を得ることができる。
【０００５】
【特許文献１】特開平７−２３２７７号公報
【特許文献２】特開平１０−２１３８３２号公報
【特許文献３】特開平１１−１８７３０８号公報
【特許文献４】特開２００５−２８６９７３号公報
【発明の開示】
【発明が解決しようとする課題】
【０００６】
ここで、手ぶれ補正の場合には、入力信号の周波数がＤＣレベルから数十Ｈｚという低い帯域の信号の場合もあり、これら信号についても増幅したいという要求がある。また、アンプのゲインを変更する場合、一対のアンプ出力についてそれぞれ増幅率を変更する必要があり、部品点数が多くなり、また一対の出力についての利得調整も行わなければならなかった。
【課題を解決するための手段】
【０００７】
本発明は、入力信号が負入力端に入力され、正入力端に基準電圧が入力され、出力端から負入力端への帰還路が形成され、所定の増幅率で入力信号を増幅する第１オペアンプと、このオペアンプの出力が正入力端に入力され、前記基準電圧が負入力端に入力され、出力端に一対の極性が互いに反対の出力を得る第２オペアンプと、を有し、前記第２オペアンプの出力に、一対の極性が互いに反対である、負荷のＢＴＬ駆動するための出力を得ることを特徴とする。
【０００８】
また、前記第１オペアンプの入力信号の入力ラインには抵抗が配置され、前記帰還路には帰還抵抗が配置され、これら抵抗の比によって第１オペアンプの増幅率が決定されることが好適である。
【０００９】
また、前記入力信号は、カメラの手ぶれ補正用の信号であり、前記負荷は光学補正用のコイルであることが好適である。
【発明の効果】
【００１０】
本発明によれば、直流カットコンデンサを用いることなく、入力信号を処置の基準電圧を中心とした信号の増幅することができる。従って、低周波の信号も増幅することが可能となる。
【発明を実施するための最良の形態】
【００１１】
以下、本発明の実施形態について、図面に基づいて説明する。
【００１２】
図１は、実施形態に係るアンプ回路の構成を示す図である。入力信号Ｖｉｎは、抵抗Ｒ１を介しＯＰアンプＯＰ１の負入力端に入力される。このオペアンプＯＰ１の出力端と負入力端は帰還抵抗Ｒ２で接続されている。そして、オペアンプＯＰ１の出力端はオペアンプＯＰ２の正入力端に接続されている。
【００１３】
一方、基準電圧Ｖｒｅｆは、バッファアンプＢＡ１を介し、オペアンプＯＰ１の正入力端と、オペアンプＯＰ２の負入力端に入力されている。
【００１４】
従って、基準電圧Ｖｒｅｆを中心として、抵抗比Ｒ２／Ｒ１で決定されたゲインで反転増幅された入力信号ＶｉｎがオペアンプＯＰ２の正入力端に入力され、オペアンプＯＰ２では、負入力端に入力される基準電圧Ｖｒｅｆを基準として、入力信号を一対の極性が反対の信号をして出力する。オペアンプＯＰ２は、差動アンプを要素としており、反転側、非反転側の両方から出力が取り出される。
【００１５】
オペアンプＯＰ２の一方の出力（この例では＋）は、オペアンプＯＰ３の正入力端に入力される。また、オペアンプＯＰ２の他方の出力（この例では−）は、オペアンプＯＰ４の正入力端に入力される。
【００１６】
オペアンプＯＰ３の負入力端には、（１／２）ＶｃｃをバッファアンプＢＡ２で安定化した基準電圧が抵抗Ｒ３を介し入力されており、このオペアンプＯＰ３の負入力端には、出力端が帰還抵抗Ｒ４を介し接続されている。オペアンプＯＰ４の負入力端には、（１／２）ＶｃｃをバッファアンプＢＡ２で安定化した基準電圧が抵抗Ｒ５を介し入力されており、このオペアンプＯＰ４の負入力端には、出力端が帰還抵抗Ｒ６を介し接続されている。さらに、オペアンプＯＰ３の正入力端にはバッファアンプＢＡ２の出力（１／２）Ｖｃｃが抵抗Ｒ７を介し供給され、オペアンプＯＰ４の正入力端にはバッファアンプＢＡ２の出力（１／２）Ｖｃｃが抵抗Ｒ８を介し供給され、これらオペアンプＯＰ３，ＯＰ４の正入力端のＤＣ成分が（１／２）Ｖｃｃとされる。
【００１７】
このようにして、抵抗比（Ｒ４／Ｒ３）＝（Ｒ６／Ｒ５）＝１としてオペアンプＯＰ３、ＯＰ４の出力端には、（１／２）Ｖｃｃを中心として、入力信号が増幅された極性が互いに反対の信号（ＢＴＬ出力信号）が得られる。従って、この一対の出力端をボイルコイルに接続することによって、ボイスコイルの所定の駆動電流が流れ、これによって例えばレンズを駆動して手ぶれ補正機能が達成される。なお、ボイスコイルモータは二次元又は三次元に位置調整が可能なように、複数のボイスコイルを有しており、本実施形態のアンプ回路も複数のボイスコイルに対応して複数設けられる。
【００１８】
本実施形態によれば、オペアンプＯＰ１によって、基準電圧Ｖｒｅｆ基準で入力信号Ｖｉｎを所定の電圧に増幅又は減衰し、これをオペアンプＯＰ２に入力するため、その経路に直流カットコンデンサのようなハイパスフィルタが存在しない。従って、入力信号の周波数がＤＣレベルから数十Ｈｚという低い帯域の信号の場合もこれに応じた出力を得ることができる。また、オペアンプＯＰ２の出力をＯＰ３、ＯＰ４により、（１／２）Ｖｃｃ基準に確実にレベルシフトすることができる。さらに、ＯＰ１における抵抗比Ｒ２／Ｒ１を変更することなどによって、オペアンプＯＰ２に入力する信号の振幅を調整でき、アンプ回路全体の２つの出力に対するゲインを簡単にコントロールすることができる。
【図面の簡単な説明】
【００１９】
【図１】実施形態に係るアンプ回路の構成を示す図である。
【図２】従来のアンプ回路実施形態に係るアンプ回路の構成を示す図である。
【符号の説明】
【００２０】
ＢＡ，ＢＡ１，ＢＡ２  バッファアンプ、Ｃｉ  直流カット用コンデンサ、ＯＰ０，ＯＰ１，ＯＰ２，ＯＰ３，ＯＰ４  オペアンプ、Ｒ１，Ｒ２，Ｒ３，Ｒ４，Ｒ５，Ｒ６，Ｒ７，Ｒ８，Ｒｉ  抵抗。
【図１】
2009159110.tif 000003
【図２】
2009159110.tif 000004